(57)【要約】【課題】  複数の情報表示装置それぞれに異なる情報を表示させる際に、情報表示のために要する手間を軽減すること。【解決手段】  表示対象である情報の属性と表示装置１ｍ、１ｓの属性とに基づいて各表示装置１ｍ、１ｓに表示させる情報を設定するようにした。そのため、前記情報それぞれを適切な表示装置１ｍ、１ｓに表示させることができ、例えば、ユーザに情報表示のための操作を行わせる方法に比べ、情報表示のために要する手間を軽減することができる。【選択図】  図１
2007121839.tif 000002
【特許請求の範囲】
【請求項１】
複数の情報表示装置を制御してそれぞれに異なる情報を表示させる表示制御装置であって、
表示対象である情報それぞれの属性を検出する情報属性検出手段と、前記表示装置それぞれの属性を検出する表示装置属性検出手段と、前記情報属性検出手段で検出された情報の属性と前記表示装置属性検出手段で検出された表示装置の属性とに基づいて各表示装置および当該表示装置に表示させる情報の組み合わせを設定する組合設定手段と、前記組合設定手段で設定された組み合わせに従って各情報を各表示装置に表示させる制御手段と、を備えたことを特徴とする表示制御装置。
【請求項２】
前記情報の属性は、文書量、種類及び重要度の少なくとも１つを含むことを特徴とする請求項１に記載の表示制御装置。
【請求項３】
前記表示装置の属性は、表示画面サイズ、解像度及び位置の少なくとも１つを含むこと特徴とする請求項１又は２に記載の表示制御装置。
【請求項４】
前記情報属性検出手段は、表示対象である情報それぞれの属性として各情報の種類を検出し、前記表示装置属性検出手段は、前記表示装置それぞれの属性として各表示装置の表示画面サイズを検出し、前記組合設定手段は、前記情報属性検出手段で種類が文書であることが検出された情報と、前記表示装置属性検出手段で表示画面サイズが他の情報表示装置よりも大きいことが検出された情報表示装置とを組み合わせることを特徴とする請求項１から３のいずれか１項に記載の表示制御装置。
【請求項５】
前記情報属性検出手段は、表示対象である情報それぞれの属性として各情報の種類を検出し、前記表示装置属性検出手段は、前記表示装置それぞれの属性として各表示装置の解像度を検出し、前記組合設定手段は、前記情報属性検出手段で種類が図表であることが検出された情報と、前記表示装置属性検出手段で解像度が他の情報表示装置よりも低いことが検出された情報表示装置とを組み合わせることを特徴とする請求項１から４のいずれか１項に記載の表示制御装置。
【請求項６】
前記情報属性検出手段は、表示対象である情報それぞれの属性として各情報の種類を検出し、前記表示装置属性検出手段は、前記表示装置それぞれの属性として各表示装置の解像度を検出し、前記組合設定手段は、前記情報属性検出手段で種類が写真であることが検出された情報と、前記表示装置属性検出手段で解像度が他の情報表示装置よりも高いことが検出された情報表示装置とを組み合わせることを特徴とする請求項１から５のいずれか１項に記載の表示制御装置。
【発明の詳細な説明】
【技術分野】
【０００１】
本発明は、複数の情報表示装置を制御してそれぞれに異なる情報を表示させる表示制御装置に関する。
【背景技術】
【０００２】
従来、コレステリック液晶表示体や電気泳動表示体等の記憶性表示体に情報を表示して閲覧可能とする情報表示装置がある（例えば、特許文献１参照）。
ところで、このような情報表示装置を複数所有する場合には、ユーザが閲覧対象に選んだ情報（メイン情報、例えば、論文）を１つの情報表示装置に表示させるとともに、そのメイン情報に関係のある情報（サブ情報、例えば、前記論文中で参照されている図面）を他の情報表示装置に表示させて、それらを机の上に並べることで、サブ情報を参照しつつ、メイン情報を読み進めていくという使い方をすることもできる。
【特許文献１】特開２０００−２８４７６０号公報
【発明の開示】
【発明が解決しようとする課題】
【０００３】
しかしながら、上記使い方をする場合には、各情報表示装置それぞれにユーザが情報表示のための操作をしなければならず、多くの手間がかかるという問題があった。
本発明は、上記従来の技術の未解決の課題を解決することを目的とするものであって、複数の情報表示装置それぞれに異なる情報を表示させる際に、情報表示のために要する手間を軽減することができる表示制御装置を提供することを課題とする。
【課題を解決するための手段】
【０００４】
上記課題を解決するために、本発明の表示制御装置にあっては、複数の情報表示装置を制御してそれぞれに異なる情報を表示させる表示制御装置であって、表示対象である情報それぞれの属性を検出する情報属性検出手段と、前記表示装置それぞれの属性を検出する表示装置属性検出手段と、前記情報属性検出手段で検出された情報の属性と前記表示装置属性検出手段で検出された表示装置の属性とに基づいて各表示装置および当該表示装置に表示させる情報の組み合わせを設定する組合設定手段と、前記組合設定手段で設定された組み合わせに従って各情報を各表示装置に表示させる制御手段と、を備えたことを特徴とする。
【０００５】
また、前記情報の属性は、文書量、種類及び重要度の少なくとも１つを含むものであってもよい。
さらに、前記表示装置の属性は、表示画面サイズ、解像度及び位置の少なくとも１つを含むものであってもよい。
また、前記情報属性検出手段は、表示対象である情報それぞれの属性として各情報の種類を検出し、前記表示装置属性検出手段は、前記表示装置それぞれの属性として各表示装置の表示画面サイズを検出し、前記組合設定手段は、前記情報属性検出手段で種類が文書であることが検出された情報と、前記表示装置属性検出手段で表示画面サイズが他の情報表示装置よりも大きいことが検出された情報表示装置とを組み合わせるようにしてもよい。
【０００６】
さらに、前記情報属性検出手段は、表示対象である情報それぞれの属性として各情報の種類を検出し、前記表示装置属性検出手段は、前記表示装置それぞれの属性として各表示装置の解像度を検出し、前記組合設定手段は、前記情報属性検出手段で種類が図表であることが検出された情報と、前記表示装置属性検出手段で解像度が他の情報表示装置よりも低いことが検出された情報表示装置とを組み合わせるようにしてもよい。
【０００７】
また、前記情報属性検出手段は、表示対象である情報それぞれの属性として各情報の種類を検出し、前記表示装置属性検出手段は、前記表示装置それぞれの属性として各表示装置の解像度を検出し、前記組合設定手段は、前記情報属性検出手段で種類が写真であることが検出された情報と、前記表示装置属性検出手段で解像度が他の情報表示装置よりも高いことが検出された情報表示装置とを組み合わせるようにしてもよい。
【０００８】
このような構成によれば、表示対象である情報それぞれを適切な情報表示装置に表示させることができ、例えば、各情報表示装置それぞれにユーザが情報表示のための操作を行わせる方法に比べ、情報表示のために要する手間を軽減することができる。
【発明を実施するための最良の形態】
【０００９】
以下、本発明の表示制御装置を、１つのメイン表示装置及び１つ以上のサブ表示装置を含んで構成される表示システムのメイン表示装置に搭載した例を説明する。
すなわち、この表示システムは、メイン表示装置により、表示対象である情報それぞれの属性（コンテンツ属性）を検出し、メイン表示装置及びサブ表示装置それぞれの属性（ディスプレイ属性）を検出し、それらコンテンツ属性とディスプレイ属性とに基づいて各表示装置および当該表示装置に表示させる情報の組み合わせを設定する。そして、その設定された組み合わせに従って各情報のデータを各サブ表示装置に送信し、メイン表示装置及びサブ表示装置により、前記設定された情報が表示される。
なお、本発明にあっては、サブ表示装置は２つ以上備えるようにしてもよいが、本実施形態では、説明の簡単のため、サブ表示装置を１つだけ備える場合について説明する。
【００１０】
＜メイン表示装置及びサブ表示装置の構成＞
図１は、本実施形態のメイン表示装置及びサブ表示装置の内部構成を示すブロック図である。この図１に示すように、メイン表示装置１ｍ、サブ表示装置１ｓは、通信モジュール２、蓄積モジュール３、記憶モジュール４、演算モジュール５及び表示モジュール６を含んで構成される。
【００１１】
通信モジュール２は、メイン表示装置１ｍ及びサブ表示装置１ｓを無線ラン（ＬＡＮ、Local Area Network）経由で接続して互いにデータ授受可能な状態とする。
蓄積モジュール３は、ハードディスクドライブやメモリーカード等、メイン表示装置１ｍ及びサブ表示装置１ｓの電源遮断後も各種データを保持可能な記憶装置である。
そして、メイン表示装置１ｍの蓄積モジュール３には、ユーザによって閲覧対象に選ばれる情報（メイン情報、例えば、論文）のデータ、当該メイン情報に関係のある情報（サブ情報、例えば、前記論文中で参照されている図面）のデータ、前記メイン情報及び前記サブ情報の属性（コンテンツ属性）のデータ、メイン表示装置１ｍの属性（ディスプレイ属性）のデータが予め記録されている。また、サブ表示装置１ｓの蓄積モジュール３には、サブ表示装置１ｓの属性（ディスプレイ属性）のデータのみが記録されている。
【００１２】
なお、コンテンツ属性としては、メイン情報及びサブ情報に含まれる文書量（文書のサイズ）、並びにメイン情報及びサブ情報の種類（写真、図表、文書）が挙げられる。
また、ディスプレイ属性としては、メイン表示装置１ｍ及びサブ表示装置１ｓの表示画面サイズ、並びにメイン表示装置１ｍ及びサブ表示装置１ｓの解像度が挙げられる。
記憶モジュール４は、演算モジュール５で実行される基本制御プログラムやアプリケーションプログラム等の各種プログラム及びそれらプログラムに係るデータを記憶する。
【００１３】
演算モジュール５は、記憶モジュール４に記憶されている各種プログラム及びデータを読み込み、それら各種プログラムを実行して、表示装置１ｍ、１ｓの各部を制御する。
具体的には、メイン表示装置１ｍの演算モジュール５は、任意のメイン情報が閲覧対象に選択されると、メイン表示装置処理（後述）を実行する。そして、そのメイン表示装置処理により、メイン表示装置１ｍとサブ表示装置１ｓとをそれぞれの通信モジュール２を介してデータ通信可能な状態とし、ディスプレイ属性のデータの送信を促す指令（ディスプレイ属性送信指令）を通信モジュール２を介してサブ表示装置１ｓに送信する。
【００１４】
次いで、前記ディスプレイ属性送信指令に応じてサブ表示装置１ｓから送信されるディスプレイ属性のデータを通信モジュール２を介して受信し、また、蓄積モジュール３に記憶されているメイン表示装置１ｍ及びサブ表示装置１ｓのコンテンツ属性のデータを読み出す。なお、前記選択されたメイン情報のデータがＸＨＭＬ（ＨＴＭＬ）で記述されている場合には、図３に示すように、そのＸＨＭＬのリンク先の情報をサブ情報とする。
【００１５】
次いで、蓄積モジュール３に記憶されている自装置のディスプレイ属性のデータ、前記受信されたサブ表示装置１ｓのディスプレイ属性のデータ、及び前記読み出されたコンテンツ属性のデータに基づいて、各表示装置１ｍ、１ｓ及び当該表示装置１ｍ、１ｓに表示させる情報の組み合わせを設定する。
具体的には、コンテンツ属性である「種類」が「文書」である情報は、ディスプレイ属性である「表示画面サイズ」が他の表示装置１ｍ、１ｓよりも大きい表示装置１ｍ、１ｓに表示させる情報に設定する。
【００１６】
なお、本実施形態では、「文章」を「表示画面サイズ」が大きい表示装置１ｍ、１ｓに表示させる例を示したが、これに限られるものではない。例えば、「文章」を「解像度」が高い表示装置１ｍ、１ｓに表示させるようにしてもよい。そのようにすれば、高解像度の表示装置１ｍ、１ｓに表示させることで１文字当たりのサイズを小さくすることができ、その結果、１画面に表示できる文書量を増やすことができる。
【００１７】
また、コンテンツ属性である「種類」が「図表」である情報は、ディスプレイ属性である「解像度」が他の表示装置１ｍ１ｓよりも低い表示装置１ｍ、１ｓに表示させる情報に設定する。
そして、コンテンツ属性である「種類」が「写真」である情報は、ディスプレイ属性である「解像度」が他の表示装置１ｍ、１ｓよりも高い表示装置１ｍ、１ｓに表示させる情報に設定する。
【００１８】
すなわち、図表にあっては、表示装置１ｍ、１ｓの解像度は高くなくても問題ないが、写真にあっては、高解像度でカラー表示とするのが望ましい。
次いで、前記サブ表示装置１ｓに設定された情報のデータを通信モジュール２を介してサブ表示装置１ｓに送信し、また、前記メイン表示装置１ｍに設定されたデータが示す情報を表示させる指令（メイン表示装置表示指令）を表示モジュール６に出力する。
【００１９】
また、サブ表示装置１ｓの演算モジュール５は、メイン表示装置１ｍからディスプレイ属性送信指令が送信されると、サブ表示装置処理（後述）を実行する。そして、そのサブ表示装置処理により、まず、蓄積モジュール３に記憶されている自装置のディスプレイ属性のデータを通信モジュール２を介してメイン表示装置１ｍに送信する。
次いで、メイン表示装置１ｍから送信されるデータ（サブ表示装置１ｓに設定された情報のデータ）を受信して蓄積モジュール３に記憶し、その記憶されたデータが示す情報を表示させる指令（サブ表示装置表示指令）を表示モジュール６に出力する。
表示モジュール６は、コレステリック液晶表示体等の記憶性表示体を備え、演算モジュール５から出力される指令に応じた情報を記憶性表示体に表示する。
【００２０】
＜メイン表示装置の動作＞
次に、メイン表示装置１ｍの演算モジュール５で実行されるメイン表示装置処理を図２（ａ）のフローチャートに基づいて説明する。このメイン表示装置処理は、任意のメイン情報が閲覧対象に選択されると実行される処理であって、まずそのステップＳ１０１で、メイン表示装置１ｍの各部２〜６を初期化するとともに、メイン表示装置１ｍとサブ表示装置１ｓとをそれぞれの通信モジュール２を介してデータ通信可能な状態とする。
【００２１】
次にステップＳ１０２に移行して、ディスプレイ属性のデータの送信を促すディスプレイ属性送信指令を通信モジュール２を介してサブ表示装置１ｓに送信する。
次にステップＳ１０３に移行して、前記ディスプレイ属性送信指令に応じてサブ表示装置１ｓから送信されるディスプレイ属性のデータを通信モジュール２を介して受信する。
次にステップＳ１０４に移行して、蓄積モジュール３に記憶されているメイン表示装置１ｍ及びサブ表示装置１ｓのコンテンツ属性のデータを読み出す。
【００２２】
次にステップＳ１０５に移行して、蓄積モジュール３に記憶されている自装置のディスプレイ属性のデータ、前記ステップＳ１０３で受信されたサブ表示装置１ｓのディスプレイ属性のデータ、及び前記ステップＳ１０４で検出されたコンテンツ属性のデータに基づいて、メイン表示装置１ｍ及びサブ表示装置１ｓに表示させる情報を設定する。
次にステップＳ１０６に移行して、前記ステップＳ１０５でサブ表示装置１ｓに設定された情報のデータを通信モジュール２を介してサブ表示装置１ｓに送信する。
次にステップＳ１０７に移行して、前記ステップＳ１０５でメイン表示装置１ｍに設定されたデータが示す情報を表示させるメイン表示装置表示指令を表示モジュール６に出力してから、この演算処理を終了する。
【００２３】
＜サブ表示装置の動作＞
次に、サブ表示装置１ｓの演算モジュール５で実行されるサブ表示装置処理を図２（ｂ）フローチャートに基づいて説明する。このサブ表示装置処理は、メイン表示装置１ｍからディスプレイ属性送信指令が送信されると実行される処理であって、まずそのステップＳ２０１で、サブ表示装置１ｓの各部２〜７を初期化する。
【００２４】
次にステップＳ２０２に移行して、蓄積モジュール３に記憶されている自装置のディスプレイ属性のデータを通信モジュール２を介してメイン表示装置１ｍに送信する。
次にステップＳ２０３に移行して、メイン表示装置１ｍから送信されるデータ（サブ表示装置１ｓに設定された情報のデータ）を受信して蓄積モジュール３に記憶する。
次にステップＳ２０４に移行して、前記ステップＳ２０３で蓄積モジュール３に記憶されたデータが示す情報を表示させるサブ表示装置表示指令を表示モジュール６に出力してから、この演算処理を終了する。
【００２５】
＜表示システムの具体的動作＞
次に、本実施形態における表示システムの動作を具体的状況に基づいて説明する。
まず、ユーザがメイン表示装置１ｍを操作して、任意のメイン情報を閲覧対象に選択したとする。すると、図２（ａ）に示すように、まずそのステップＳ１０１で、メイン表示装置１ｍの各部２〜６が初期化され、メイン表示装置１ｍとサブ表示装置１ｓとがそれぞれの通信モジュール２を介してデータ通信可能な状態とされ、ステップＳ１０２で、ディスプレイ属性送信指令が通信モジュール２を介してサブ表示装置１ｓに送信される。
【００２６】
すると、サブ表示装置１ｓでサブ表示装置処理が実行され、図２（ｂ）に示すように、まずそのステップＳ２０１で、サブ表示装置１ｓの各部２〜７が初期化され、ステップＳ２０２で、蓄積モジュール３に記憶されている自装置（サブ表示装置１ｓ）のディスプレイ属性のデータが通信モジュール２を介してメイン表示装置１ｍに送信される。
すると、メイン表示装置処理のステップＳ１０３で、サブ表示装置１ｓから送信されるディスプレイ属性のデータが通信モジュール２を介して受信され、ステップＳ１０４で、蓄積モジュール３から表示装置１ｍ、１ｓのコンテンツ属性のデータが読み出される。また、ステップＳ１０５で、蓄積モジュール３から自装置のディスプレイ属性のデータ、前記受信されたサブ表示装置１ｓのディスプレイ属性のデータ、及び前記検出されたコンテンツ属性のデータに基づいて、表示装置１ｍ、１ｓに表示させる情報が設定される。
【００２７】
ここで、ユーザによって閲覧対象に選択されたメイン情報が論文であり、その論文のデータ（ＸＨＴＭＬ）のリンク先の情報（サブ情報）が写真であったとする。そして、図４（ａ）に示すように、メイン情報のコンテンツ属性が（文書量：多い、種類：文書）であり、サブ情報のコンテンツ情報が（文書量：きわめて少ない、種類：写真）であったとする。また、メイン表示装置１ｍのディスプレイ属性が（表示画面サイズ：１２インチ、解像度：ＵＸＧＡ（１６００×１２００））であり、サブ表示装置１ｓのディスプレイ属性が（表示画面サイズ：１４インチ、解像度：ＸＧＡ（１０２４×７６８））であったとする。すると、メイン情報（前記論文）がサブ表示装置１ｓに表示させる情報に設定され、サブ情報（前記写真）がメイン表示装置１ｍに表示させる情報に設定される。
【００２８】
次いで、ステップＳ１０６で、前記サブ表示装置１ｓに設定された情報（写真）のデータが通信モジュール２を介してサブ表示装置１ｓに送信され、ステップＳ１０７で、メイン表示装置表示指令が表示モジュール６に出力される。そして、表示モジュール６で、前記メイン表示装置１ｍに設定された情報（論文）が記憶性表示体に表示される。
また、サブ表示装置処理のステップＳ２０３で、メイン表示装置１ｍから送信されたデータが受信されて蓄積モジュール３に記憶され、ステップＳ２０４で、サブ表示装置表示指令が表示モジュール６に出力される。そして、表示モジュール６で、前記メイン表示処理でサブ表示装置１ｓに設定された情報（写真）が記憶性表示体に表示される。
【００２９】
一方、ユーザによって閲覧対象に選択されたメイン情報が論文であり、その論文のデータのリンク先にの情報（サブ情報）が図表であったとする。そして、図４（ｂ）に示すように、メイン情報のコンテンツの属性が（文書量：多い、種類：文書）であり、サブ情報のコンテンツ情報が（文書量：中、種類：図表）であったとする。また、メイン表示装置１ｍのディスプレイ属性が（サイズ：１２インチ、解像度：ＵＸＧＡ）であり、サブ表示装置１ｓのディスプレイ属性が（サイズ：８インチ、解像度：ＶＧＡ（６４０×４８０））であったとする。すると、メイン情報（文書）がメイン表示装置１ｍに表示させる情報に設定され、サブ情報（図表）がサブ表示装置１ｓに表示させる情報に設定される。
【００３０】
次いで、ステップＳ１０６で、前記サブ表示装置１ｓに設定された情報（図表）のデータが通信モジュール２を介してサブ表示装置１ｓに送信され、ステップＳ１０７で、メイン表示装置表示指令が表示モジュール６に出力される。そして、表示モジュール６で、前記メイン表示装置１ｍに設定された情報（論文）が記憶性表示体に表示される。
また、サブ表示装置処理のステップＳ２０３で、メイン表示装置１ｍから送信されたデータが受信されて蓄積モジュール３に記憶され、ステップＳ２０４で、サブ表示装置表示指令が表示モジュール６に出力される。そして、表示モジュール６で、前記メイン表示処理でサブ表示装置１ｓに設定された情報（図表）が記憶性表示体に表示される。
【００３１】
このように、本実施形態の表示システムにあっては、表示対象である情報（メイン情報、サブ情報）の属性と表示装置１ｍ、１ｓの属性とに基づいて各表示装置１ｍ、１ｓに表示させる情報を設定するようにした。そのため、表示対象である情報それぞれを適切な表示装置１ｍ、１ｓに表示させることができ、例えば、ユーザに情報表示のための操作を行わせる方法に比べ、情報表示のために要する手間を軽減することができる。
【００３２】
以上、上記実施形態では、図２（ａ）のステップＳ１０４が特許請求の範囲の情報属性検出手段を構成し、以下同様に、図２（ａ）のステップＳ１０２及びＳ１０３が表示装置属性検出手段を構成し、図２（ａ）のステップＳ１０５が組合設定手段を構成し、図２（ａ）のステップＳ１０７及び図２（ｂ）のステップＳ２０４が制御手段を構成する。
なお、本発明の表示制御装置は、上記実施の形態の内容に限定されるものではなく、本発明の趣旨を逸脱しない範囲で適宜変更可能である。
【００３３】
上記実施形態では、メイン情報のデータ及びサブ情報のデータをメイン表示装置１ｍにのみ予め記憶させておく例を示したが、これに限られるものではない。例えば、メイン表示装置１ｍ及びサブ表示装置１ｓの両方に予め記憶させておいてもよい。そのようにすれば、サブ表示装置１ｓに表示情報のデータを送信する手間を軽減することができる。
また、メイン情報のデータ及びサブ情報のデータをメイン表示装置１ｍ及びサブ表示装置１ｓのいずれにも記憶させず、パーソナルコンピュータ等、外部の機器にのみ予め記憶させておいてもよい。そのようにすれば、メイン情報のデータ及びサブ情報のデータが一カ所に記憶されることになり、当該データの管理しやすさを向上することができる。
【００３４】
さらに、外部の機器に表示情報を記憶させる場合には、メイン情報及びサブ情報の属性情報の検出や各表示装置および当該表示装置に表示させる情報の組み合わせの設定等の処理を前記外部の機器に行わせるようにしてもよい。そのようにすれば、メイン表示装置１ｍで前記処理を行う場合に比べ、処理能力が高い外部の機器を用いることで、処理速度やデータの送信速度を高速化することができ、その結果、全体として処理速度を高速化することができる。
【００３５】
さらに、メイン表示装置１ｍの数とサブ表示装置１ｓの数とが予め固定されている例を示したが、これに限られるものではない。例えば、サブ表示装置１ｓの数を増減できるようにしてもよい。具体的には、サブ表示装置１ｓが増加した場合には、前記増加したサブ表示装置１ｓのディスプレイ属性をメイン表示装置１ｍに送信させる。そして、その送信させたディスプレイ属性に基づいて各表示装置１ｍ、１ｓに表示させる情報を再設定し、その再設定された情報を各表示装置１ｍ、１ｓに表示させる。なお、各表示装置１ｍ、１ｓに表示させる情報の再設定の際には、全ての表示装置１ｍ、１ｓを対象として再設定してもよいし、前記増加したサブ表示装置１ｓのみを対象として再設定してもよい。
【００３６】
また、サブ表示装置１ｓを減少させる場合には、コンテンツ属性として情報の重要度を設定しておき、前記減少させるサブ表示装置１ｓに表示させていた情報の重要度をメイン表示装置１ｍに検出させる。そして、その検出させた重要度に基づいて各表示装置１ｍ、１ｓに表示させる情報を再設定し、その再設定された情報を各表示装置１ｍ、１ｓに表示させる。すなわち、前記減少させるサブ表示装置１ｓに表示させていた情報の重要度が高い場合には他のサブ表示装置１ｓに表示させ、低い場合には表示させないものとする。
【００３７】
さらに、ディスプレイ属性としてサブ表示装置１ｓが配されている位置を検出するようにし、図５に示すように、中央に配されている（ユーザの正面にある）表示装置１ｍ、１ｓにメイン情報（例えば、論文）を表示し、他の表示装置１ｍ、１ｓにサブ情報（例えば、前記論文中で参照されている図表や参照論文）を表示させるようにしてもよい。
また、メイン表示装置１ｍとサブ表示装置１ｓとを無線ＬＡＮ経由でデータ授受可能な状態とする例を示したが、これに限られるものではない。例えば、物理的コネクタ経由としてもよいし、ウルトラワイドバンド（Ultra Wide Band）経由としてもよい。
【００３８】
さらに、メイン表示装置１ｍを予め決めておく例を示したが、これに限られるものではない。例えば、表示情報を予め記憶している表示装置をメイン表示装置１ｍとするようにしてもよいし、最初に電源が投入された表示装置をメイン表示装置１ｍとしてもよい。また、最初に初期化された表示装置をメイン表示装置１ｍとしてもよく、最初に他の表示装置から通信を受信した表示装置をメイン表示装置１ｍとしてもよく、最も多くの表示装置と接続されている表示装置をメイン表示装置１ｍとしてもよい。
【図面の簡単な説明】
【００３９】
【図１】実施形態における表示装置の内部構成を示すブロック図である。
【図２】演算モジュールで実行される演算処理を示すフローチャートである。
【図３】メイン情報のデータ及びサブ情報のデータの説明図である。
【図４】表示システムの動作を説明するための説明図である。
【図５】本発明の変形例を説明するための説明図である。
【符号の説明】
【００４０】
１ｍはメイン表示装置、１ｓはサブ表示装置、２は通信モジュール、３は蓄積モジュール、４は記憶モジュール、５は演算モジュール、６は表示モジュール
【図１】
2007121839.tif 000003
【図２】
2007121839.tif 000004
【図３】
2007121839.tif 000005
【図４】
2007121839.tif 000006
【図５】
2007121839.tif 000007